(57)【要約】【課題】印刷条件に基づき付加条件を満たしているか否かを判断することで、特定の印刷条件で印刷される画像データに対して付加データを付加すること。【解決手段】Ｓ１０１にて印刷データに付加データＦを付加するか否かを判定する付加判定処理を実行し、Ｓ１０２にて、Ｓ１０１の付加判定処理により印刷データに付加データＦを付加すると判定したか否かを判断する。ここで付加すると判定したと判断すると（Ｓ１０２：ＹＥＳ）、Ｓ１０５又はＳ１０６にて、印刷データに付加データＦを付加する。一方、Ｓ１０２にて、付加データＦを付加しないと判定したと判断すると（Ｓ１０２：ＮＯ）、印刷データに付加データＦを付加しない。【選択図】図３
2011232875.tif 000002
【特許請求の範囲】
【請求項１】
給紙部から給紙したシートに画像データを印刷する印刷部を有する印刷装置と接続される制御装置であって、
前記画像データを前記印刷装置に送信する送信部と、
前記送信部が送信する画像データが印刷装置にて印刷される際の印刷条件に基づき、付加データを付加する付加条件を満たしているか否かを判断する判断部と、
前記判断部が付加条件を満たしていると判断することに応じて、前記画像データに付加データを付加する付加部と、
を備えることを特徴とする制御装置。
【請求項２】
前記付加部は、前記給紙部と当該給紙部に載置されるシートの印刷面とに基づく付加データを付加することを特徴とする請求項１に記載の制御装置。
【請求項３】
前記印刷装置の前記給紙部は、前記印刷部が載置されたシートの上面及び下面にそれぞれ印刷する２つの給紙部を含み、
前記付加部は、それぞれの前記給紙部毎に前記給紙部と当該給紙部に載置されるシートの印刷面とに基づく付加データを付加することを特徴とする請求項１又は請求項２に記載の制御装置。
【請求項４】
前記付加部は、前記送信部が送信する印刷装置とは異なる印刷装置とに基づく付加データを付加することを特徴とする請求項１から請求項３のいずれか一項に記載の制御装置。
【請求項５】
前記付加部は、前記画像データが印刷される際に用いられる給紙部に載置されるシートの印刷面に基づく付加データを付加することを特徴とする請求項１から請求項４のいずれか一項に記載の制御装置。
【請求項６】
前記付加部は、前記画像データが複数ページのページデータで構成されている場合、複数ページの内の少なくとも一ページのページデータに付加データを付加することを特徴とする請求項１から請求項５のいずれか一項に記載の制御装置。
【請求項７】
前記判断部は、前記印刷条件として低品質設定がなされていることに応じて、付加条件を満たしていると判断することを特徴とする請求項１から請求項６のいずれか一項に記載の制御装置。
【請求項８】
前記判断部は、前記印刷条件として画像データの印刷面積が所定面積より狭いことに応じて、付加条件を満たしていると判断することを特徴とする請求項１から請求項７のいずれか一項に記載の制御装置。
【請求項９】
前記判断部は、前記印刷条件として画像データが機密データであることに応じて、付加条件を満たしていないと判断することを特徴とする請求項１から請求項８のいずれか一項に記載の制御装置。
【請求項１０】
前記判断部は、前記印刷条件として両面印刷設定がなされていることに応じて、付加条件を満たしていないと判断することを特徴とする請求項１から請求項９のいずれか一項に記載の制御装置。
【請求項１１】
前記付加データは、シートを前記給紙部に載置する際に上面及び下面にする面の少なくとも一方を示すデータであることを特徴とする請求項１から請求項１０のいずれか一項に記載の制御装置。
【請求項１２】
給紙部から給紙したシートに画像データを印刷する印刷部を有する印刷装置と接続される制御御装置に対し、
前記画像データを前記印刷装置に送信する送信処理と、
前記送信部が送信する画像データが、印刷装置にて印刷される際の印刷条件に基づき、付加データを付加する付加条件を満たしているか否かを判断する判断処理と、
前記判断部が付加条件を満たしていると判断することに応じて、前記画像データに付加データを付加する付加処理と、
を実行させることを特徴とするプログラム。
【請求項１３】
給紙部から給紙したシートに画像データを印刷する印刷部と、
前記印刷部が印刷する画像データが印刷される際の印刷条件に基づき、付加データを付加する付加条件を満たしているか否かを判断する判断部と、
前記判断部が付加条件を満たしていると判断することに応じて、前記画像データに付加データを付加する付加部と、
を備えることを特徴とする印刷装置。
【発明の詳細な説明】
【技術分野】
【０００１】
本発明は、付加データを付加する制御装置、プログラム、及び印刷装置に関する。
【背景技術】
【０００２】
従来より、画像データに対して画像データとは異なる付加データを付加して画像形成の方法が知られている。
【０００３】
例えば、特許文献１の画像形成装置では、片面印刷モードにて画像形成された記録紙か、両面印刷モードにて画像形成された記録紙かを判別するために、選択された印刷モードに応じてそれぞれのモードにより画像形成がなされたことを示す付加情報を印字している。
【先行技術文献】
【特許文献】
【０００４】
【特許文献１】特開２００５−０４７１３０号公報
【発明の概要】
【発明が解決しようとする課題】
【０００５】
上記従来の画像形成装置では、印刷モードに応じて適切な付加情報を付加することが可能であるが、付加データを付加する際の態様として様々な付加態様が望まれていた。
【０００６】
本発明は上記のような事情に基づいて完成されたものであって、その目的は、印刷条件に基づき付加条件を満たしているか否かを判断することで、特定の印刷条件で印刷される画像データに対して付加データを付加することである。
【課題を解決するための手段】
【０００７】
この目的を達成するために、本発明の制御装置は、給紙部から給紙したシートに画像データを印刷する印刷部を有する印刷装置と接続される制御装置であって、前記画像データを前記印刷装置に送信する送信部と、前記送信部が送信する画像データが印刷装置にて印刷される際の印刷条件に基づき、付加データを付加する付加条件を満たしているか否かを判断する判断部と、前記判断部が付加条件を満たしていると判断することに応じて、前記画像データに付加データを付加する付加部と、を備えることを特徴とする。
【０００８】
上記の構成を採用すれば、印刷条件に基づき付加条件を満たしているか否かを判断することで、特定の印刷条件で印刷される画像データに対して付加データを付加することが可能となる。
【０００９】
さらに、本発明の制御装置は、前記付加部が、前記給紙部と当該給紙部に載置されるシートの印刷面とに基づく付加データを付加してもよい。
【００１０】
上記構成を採用すれば、ユーザが印刷されたシートを再度印刷するために、給紙部に当該シートを載置する際に、シートの載置間違いを抑制することが可能である。
【００１１】
さらに、本発明の制御装置は、前記印刷装置の前記給紙部が、前記印刷部が載置されたシートの上面及び下面にそれぞれ印刷する２つの給紙部を含み、前記付加部は、それぞれの前記給紙部毎に前記給紙部と当該給紙部に載置されるシートの印刷面とに基づく付加データを付加してもよい。
【００１２】
上記構成を採用すれば、印刷されたシートを給紙部が複数備えられている印刷装置にて再度印刷をする際に、ユーザが再度印刷する際に使用する給紙部を指定したい可能性がある。従って、それぞれの給紙部に対して載置されるシートの印刷面に基づく付加データを付加することで、印刷されたシートの利便性が増す。
【００１３】
さらに、本発明の制御装置は、前記付加部が、前記送信部が送信する印刷装置とは異なる印刷装置とに基づく付加データを付加してもよい。
【００１４】
上記構成を採用すれば、印刷されたシートを印刷装置にて再度印刷する際に、印刷された印刷装置とは異なる印刷装置でシートを使用する可能性がある。従って、異なる印刷装置に基づく付加データを付加することで、印刷されたシートの利便性が増す。
【００１５】
さらに、本発明の制御装置は、前記付加部が、前記画像データが印刷される際に用いられる給紙部に載置されるシートの印刷面に基づく付加データを付加してもよい。
【００１６】
上記構成を採用すれば、画像データが印刷される際に用いられる給紙部は、今後も用いられる可能性の高い給紙部である。従って、当該給紙部に載置されるシートの印刷面に基づく付加データを付加することで、ユーザの利用可能性に則した付加データを付加可能となる。
【００１７】
さらに、本発明の制御装置は、前記付加部が、前記画像データが複数ページのページデータで構成されている場合、複数ページの内の少なくとも一ページのページデータに付加データを付加してもよい。
【００１８】
上記構成を採用すれば、複数ページで構成されている画像データによって印刷されるシート束の場合、そのシート束のまとまりでシートが扱われる可能性が高い。従って、複数ページの内の少なくとも一ページのページデータに付加データを付加することで、付加データを印刷する印刷剤の使用を抑制可能となる。
【００１９】
さらに、本発明の制御装置は、前記判断部が、前記印刷条件として低品質設定がなされていることに応じて、付加条件を満たしていると判断してもよい。
【００２０】
上記構成を採用すれば、例えば、モノクロ印刷、試し印刷、低画質印刷、低解像度印刷、Ｎｉｎ１印刷等、低品質設定のなされている画像データが印刷されるシートは、印刷装置にて再度印刷される可能性が高い。従って、この様な場合は、付加条件を満たしていると判断することで適切に画像データを扱うことが可能となる。
【００２１】
さらに、本発明の制御装置は、前記判断部が、前記印刷条件として画像データの印刷面積が所定面積より狭いことに応じて、付加条件を満たしていると判断してもよい。
【００２２】
上記構成を採用すれば、例えば、Ｗｅｂのデータを印刷する際に、余白面積が広く、シートに殆ど印刷がされなかった場合等、印刷面積が所定面積より狭いシートは、印刷装置にて再度印刷される可能性が高い。従って、この様な場合は、付加条件を満たしていると判断することで適切に画像データを扱うことが可能となる。
【００２３】
さらに、本発明の制御装置は、前記判断部が、前記印刷条件として画像データが機密データであることに応じて、付加条件を満たしていないと判断してもよい。
【００２４】
上記構成を採用すれば、例えば、画像データの中に機密度の高いキーワードが入ってい
る場合等、画像データを機密データであると判断する。この様な画像データを印刷したシートは、印刷装置にて再度印刷される可能性が低い。従って、この様な場合は、付加条件を満たしていないと判断することで適切に画像データを扱うことが可能となる。
【００２５】
さらに、本発明の制御装置は、前記判断部が、前記印刷条件として両面印刷設定がなされていることに応じて、付加条件を満たしていないと判断してもよい。
【００２６】
上記構成を採用すれば、例えば、両面印刷の設定がなされシートの両面に印刷がなされたてシートは、印刷装置にて再度印刷される可能性が低い。従って、この様な場合は、付加条件を満たしていないと判断することで適切に画像データを扱うことが可能となる。
【００２７】
さらに、本発明の制御装置は、前記付加データは、シートを前記給紙部に載置する際に上面及び下面にする面の少なくとも一方を示すデータであってもよい。
【００２８】
上記構成を採用すれば、シートを給紙部に載置する際に上面及び下面にする面の少なくとも一方を示すデータとして付加データを付加することで、シートを印刷装置にて再度印刷する場合に、利便性の高いデータを印刷することが可能となる。
【００２９】
さらに、本発明のプログラムは、給紙部から給紙したシートに画像データを印刷する印刷部を有する印刷装置と接続される制御御装置に対し、前記画像データを前記印刷装置に送信する送信処理と、前記送信部が送信する画像データが、印刷装置にて印刷される際の印刷条件に基づき、付加データを付加する付加条件を満たしているか否かを判断する判断処理と、前記判断部が付加条件を満たしていると判断することに応じて、前記画像データに付加データを付加する付加処理と、を実行させることを特徴とする。
【００３０】
さらに、本発明の印刷装置は、給紙部から給紙したシートに画像データを印刷する印刷部と、前記印刷部が印刷する画像データが印刷される際の印刷条件に基づき、付加データを付加する付加条件を満たしているか否かを判断する判断部と、前記判断部が付加条件を満たしていると判断することに応じて、前記画像データに付加データを付加する付加部と、を備えることを特徴とする。
【発明の効果】
【００３１】
本発明によれば、印刷条件に基づき付加条件を満たしているか否かを判断することで、特定の印刷条件で印刷される画像データに対して付加データを付加することが可能である。
【図面の簡単な説明】
【００３２】
【図１】図１は、本発明の一実施形態に係る印刷システムの電気的構成を示すブロック図である。
【図２】図２は、プリンタの内部構成を示した概略図である。
【図３】図３は、送信処理を示すフローチャートである。
【図４】図４は、付加判定処理を示すフローチャートである。
【図５】図５は、付加データ生成処理を示すフローチャートである。
【図６】図６は、印刷データに付加データを付加し、印刷した際の一例を示すイメージ図である。
【発明を実施するための形態】
【００３３】
本発明の一実施形態について図を参照して説明する。
【００３４】
１．印刷システムの電気的構成
図１は、本実施形態の印刷システム１の電気的構成を示すブロック図である。印刷システム１は、端末装置１０（例えばパーソナルコンピュータ、制御装置の一例）とプリンタ３０（印刷装置の一例）とを備える。
【００３５】
端末装置１０は、ＣＰＵ１１（送信部、判断部、付加部の一例）、ＲＯＭ１２、ＲＡＭ１３、ハードディスクドライブ１４、キーボードやポインティングデバイス等を有する操作部１５、液晶ディスプレイ等を有する表示部１６、通信回線２０に接続されるネットワークインターフェイス１７等を備えている。ハードディスクドライブ１４には、ＯＳや、印刷用のデータ（画像データの一例、以後、印刷データと呼ぶ）を作成可能なアプリケーションソフト、プリンタ３０を制御するためのプリンタドライバなどの各種プログラムが記憶されている。
【００３６】
プリンタ３０は、ＣＰＵ３１、ＲＯＭ３２、ＲＡＭ３３、ハードディスクドライブ３４、操作部３５、表示部３６、印刷部３７、搬送機構３８、ネットワークインターフェイス２１等を備えている。ＲＯＭ３２には、プリンタ３０の動作を制御するための各種プログラムや、後述する両面印刷処理を実行するための両面印刷制御プログラム等が記録されており、ＣＰＵ３１は、ＲＯＭ３２から読み出したプログラムに従って、その処理結果をＲＡＭ３３に記憶させながら、プリンタ３０の動作を制御する。
【００３７】
操作部３５は、複数のボタンを備え、ユーザによって印刷開始の指示などの各種の入力操作が可能である。表示部３６は、液晶ディスプレイやランプ等を備えており、各種の設定画面や動作状態等を表示することが可能である。印刷部３７は、画像データに基づく画像をシートＷ（用紙、ＯＨＰシートなど）に印刷する。ネットワークインターフェイス２１は、通信回線２０を介して外部の端末装置１０等に接続されており、相互にデータ通信が可能となっている。なお、搬送機構３８については後述する。
【００３８】
尚、本実施形態では、通信回線２０に別のプリンタ３０が接続されている。このプリンタ３０も上記で説明した各種構成を備えており、更に後述する内部構成にて同様に構成されている。
【００３９】
２．プリンタの内部構成
図２はプリンタ３０の内部構成を示した概略図である。以下の説明では、各構成要素について、色毎に区別する場合は各部の符号にＹ（イエロー），Ｍ（マゼンタ），Ｃ（シアン），Ｂ（ブラック）の添え字を付し、区別しない場合は添え字を省略する。
【００４０】
プリンタ３０は、供給トレイ４１（給紙部の一例）、上述の印刷部３７、搬送機構３８、及び、排出トレイ４２等を備えている。供給トレイ４１は、プリンタ３０の底部に設けられており、複数枚のシートＷが収納可能とされている。
【００４１】
印刷部３７は、プロセス部４４、および、定着器４５等を有し、搬送機構３８は、ピックアップローラ４６、レジストレーションローラ４７，４７、シート搬送用のベルト４８、及び、反転機構４９等を有する。ピックアップローラ４６は、供給トレイ４１に収納されたシートＷを１枚ずつ取り出してレジストレーションローラ４７，４７へと搬送する。レジストレーションローラ４７，４７は、搬送されてきたシートＷの姿勢を整えて、所定のタイミングでベルト４８上に送り出す。
【００４２】
プロセス部４４は、複数色（例えば４色）のトナー各々に対応する複数（例えば４個）のプロセスカートリッジ５１Ｙ，５１Ｍ，５１Ｃ，５１Ｂ、及び、複数（例えば４個）の露光装置５２を有する。各プロセスカートリッジ５１は、感光体５３、帯電器５４、及び、トナー収容部５５等を有する。
【００４３】
帯電器５４は、いわゆるスコロトロン型の帯電器であり、感光体５３の表面を一様に帯電させる。露光装置５２は、例えば、感光体５３の回転軸方向に沿って一列状に並んだ複数の発光素子（例えばＬＥＤ）を有し、これらの複数の発光素子を、各色ごとの画像データに基づき発光制御することにより、感光体５３の表面に静電潜像を形成する。
【００４４】
トナー収容部５５は、各色のトナー（本実施形態では、例えば正帯電性の非磁性１成分トナー）を収納するとともに、現像ローラ５６を有する。現像ローラ５６が、トナーを「＋」（正極性）に帯電させ、均一な薄層として感光体５３上へ供給することにより上記静電潜像を現像してトナー像（モノクロ像、またはカラー像）を形成する。
【００４５】
各転写ローラ５７は、上記各感光体５３との間でベルト４８を挟む位置に配置されている。各転写ローラ５７は、感光体５３との間にトナーの帯電極性とは逆極性の転写電圧が印加されて、感光体５３上に形成された上記トナー像をシートＷに転写する。
【００４６】
その後、当該シートＷは、搬送機構３８により定着器４５へと搬送され、この定着器４５の加熱ローラ４５Ａと対向ローラ４５Ｂとの間にてトナー像が熱定着され、排出トレイ４２に向けて搬送される。
【００４７】
反転機構４９は、排出ローラ６０、フラッパ６１、複数の反転搬送ローラ６２等を有する。両面印刷の方式を実行する場合には、シートＷは、プロセス部４４により裏面（供給トレイ４１に収納されていたときの下面）に画像が印刷され、その後、一旦排出ローラ６０まで搬送される。
【００４８】
そして、当該排出ローラ６０の逆回転により、シートＷは、フラッパ６１、複数の反転搬送ローラ６２、レジストレーションローラ４７を介して搬送され、表裏が反転された状態でベルト４８上に送り出される。そして、そのシートＷはプロセス部４４により表面（供給トレイ４１に収納されていたときの上面）に画像が印刷された後に排出トレイ４２上へと排出される。
【００４９】
また、プリンタ３０の前面には手差しトレイ７０（給紙部の一例）が開閉可能に設けられている。この手差しトレイ７０を、図２に示すように開くと、レジストレーションローラ４７，４７の配置位置まで連通する挿入口７１が露出する。手差しトレイ７０にシートＷをセットすると、そのセットされたシートＷは、ピックアップローラ７２によって１枚ずつ挿入口７１内に搬送され、レジストレーションローラ４７，４７によってベルト４８上に搬送される。
【００５０】
３．送信処理
図３は、端末装置１０にて印刷データを送信する際の送信処理を示したフローチャートである。また、図４及び図５は、送信処理の中の付加判定処理及び付加データ送信処理をそれぞれ示したフローチャートである。
【００５１】
本実施形態での送信処理は、例えばユーザが端末装置１０の操作部１５及び表示部１７を介して、プリンタドライバなどのプログラムにて送信対象の印刷データに印刷設定情報（印刷条件の一例）を設定し、その印刷データの送信を指示する送信ボタンを押したことを契機に、ＣＰＵ１１が実行する処理である。
【００５２】
尚、ここでいう印刷設定情報とは、送信先のプリンタ３０を指定する情報や、プリンタ３０で印刷を実行する際に、シートＷの片面に印刷する片面印刷又はシートＷの両面に印刷する両面印刷かどうかを示す情報、Ｂトナーのみを使用して印刷するモノクロ印刷又は
４色のトナーを使用して印刷するカラー印刷かどうかを示す情報。
【００５３】
さらに、印刷時の解像度を落として印刷をする低解像度印刷又は印刷時の解像度を上げて印刷する高解像度印刷かを示す情報、複数ページ分のページデータを１枚のシートＷに印刷するＮｉｎ１印刷か（Ｎは１枚のシートに印刷するページデータの数を示す）を示す情報、シートＷを給紙する（ピックアップローラ４６，７２にてシートを１枚取り出すこと）際に供給トレイ４１又は手差しトレイ７０のどちらを使用するかを示す情報、等である。
【００５４】
端末装置１０にて上述の送信ボタンが押されると、図３に示すように、ＣＰＵ１１は、Ｓ１０１にて印刷データに付加データＦを付加するか否かを判定する付加判定処理を実行する。
【００５５】
付加判定処理では、図４に示すように、ＣＰＵ１１が、Ｓ２０１にて、印刷設定情報の取得及び印刷データの解析を実行する。ここで、印刷設定情報の取得とは、上述した各種の印刷設定情報を取得することである。また、印刷データの解析は、印刷データ内に記載されているテキストデータから機密キーワードを解析（印刷条件の一例）、及び印刷データの１枚のシートＷに占める印刷面積の広さを解析する（印刷条件の一例）。
【００５６】
尚、機密キーワードとは、その印刷データが機密なデータであるかを判断するものであり、
例えば、「機密」、「秘密」、「秘匿」等というキーワード、電話番号，住所等の個人情報等がそれに相当する。
【００５７】
Ｓ２０１の処理が終了すると、Ｓ２０２にて、Ｓ２０１で取得した印刷設定情報に両面印刷が設定されているか否かが判断される。ここで、両面印刷が設定されている場合（Ｓ２０２：ＹＥＳ）、Ｓ２０３にて、印刷データに付加データＦを付加しないと判定して、当該付加判定処理を終了する。
【００５８】
一方、Ｓ２０２にて両面印刷が設定されておらず、片面印刷が設定されている場合（Ｓ２０２：ＮＯ）、Ｓ２０４にて、Ｓ２０１で解析した印刷データに上述した機密キーワードが含まれているか否かが判断される。ここで、印刷データに機密キーワードが含まれている（ある）場合（Ｓ２０４：ＹＥＳ）、Ｓ２０３にて、印刷データに付加データＦを付加しないと判定して、当該付加判定処理を終了する。
【００５９】
一方、Ｓ２０４にて機密キーワードが無い場合（Ｓ２０３：ＮＯ）、Ｓ２０５にて、Ｓ２０１で取得した印刷設定情報にモノクロ印刷が設定されているか否かが判断される。ここで、モノクロ印刷が設定されている場合（Ｓ２０５：ＹＥＳ）、Ｓ２０６にて、印刷データに付加データＦを付加すると判定して、当該付加判定処理を終了する。
【００６０】
一方、Ｓ２０５にてモノクロ印刷が設定されておらず、カラー印刷が設定されている場合（Ｓ２０５：ＮＯ）、Ｓ２０７にて、Ｓ２０１で取得した印刷設定情報に低解像度印刷が設定されているか否かが判断される。ここで、低解像度印刷が設定されている場合（Ｓ２０７：ＹＥＳ）、Ｓ２０６にて、印刷データに付加データＦを付加すると判定して、当該付加判定処理を終了する。
【００６１】
一方、Ｓ２０７にて低解像度印刷が設定されておらず、高解像度印刷が設定されている場合（Ｓ２０７：ＮＯ）、Ｓ２０８にて、Ｓ２０１で取得した印刷設定情報にＮｉｎ１印刷が設定され、このＮの値が４以上であるか否かが判断される。ここで、Ｎの値が４以上であると設定されている場合（Ｓ２０８：ＹＥＳ）、Ｓ２０６にて、印刷データに付加デ
ータＦを付加すると判定して、当該付加判定処理を終了する。
【００６２】
一方、Ｓ２０８にてＮの値が４未満である場合（Ｓ２０８：ＮＯ）、Ｓ２０９にて、Ｓ２０１で解析した印刷データの印刷面積が所定面積以下の広さであるか否かが判断される。ここで、印刷面積が所定面積以下である場合（Ｓ２０９：ＹＥＳ）、Ｓ２０６にて、印刷データに付加データＦを付加すると判定して、当該付加判定処理を終了する。
【００６３】
一方、Ｓ２０９にて、印刷面積が所定面積より広い場合（Ｓ２０９：ＮＯ）、Ｓ２０３にて、印刷データに付加データＦを付加しないと判定して、当該付加判定処理を終了する。
【００６４】
尚、Ｓ２０２からＳ２０９の処理をまとめると、Ｓ２０２又はＳ２０４にて、両面印刷が設定されている場合又は印刷データに機密キーワードが含まれていると判断される場合は、Ｓ２０３にて付加データＦを付加しないと判定する。一方、Ｓ２０５又はＳ２０７からＳ２０９にて、モノクロ印刷が設定されている場合、低解像度印刷が設定されている場合、Ｎｉｎ１印刷においてＮの値が４以上の場合、又は印刷面積が所定面積以下の場合は、Ｓ２０６にて付加データＦを付加すると判定する。尚、Ｓ２０５及びＳ２０７からＳ２０９にて全てＮＯの判定をした場合は、Ｓ２０３にて付加データＦを付加しないと判定する。
【００６５】
付加判定処理にて、Ｓ２０３又はＳ２０６の処理が終了し、当該付加判定処理が終了すると、Ｓ１０２にて、Ｓ１０１の付加判定処理により印刷データに付加データＦを付加すると判定したか否かを判断する。
【００６６】
ここで付加すると判定したと判断すると（Ｓ１０２：ＹＥＳ）、Ｓ１０３にてプリンタ３０等に基づいて付加データＦを生成する付加データ生成処理を実行する。付加データ生成処理では、図５に示すように、ＣＰＵ１１が、Ｓ３０１にて、送信先のプリンタ３０及び通信回線２０に接続されているプリンタ３０（以後、周囲のプリンタ３０と呼ぶ）の給紙トレイ情報を取得する。
【００６７】
ここで、給紙トレイ情報とは、給紙トレイである供給トレイ４１、手差しトレイ７０等の、シートＷを給紙するトレイの情報であり、各トレイから給紙したシートＷのどちらの面に印刷部３７が印刷を実行するかを示す情報である。本実施形態におけるプリンタ３０では、供給トレイ４１に載置されているシートＷの場合、搬送機構３８により、載置するシートＷの下面に印刷がなされる。一方、手差しトレイ７０の場合は、搬送機構３８により、載置するシートＷの上面に印刷がなされる。
【００６８】
Ｓ３０１の処理が終わると、Ｓ３０２にて、送信先のプリンタ３０及び周囲のプリンタ３０の各給紙トレイ情報に基づいて付加データＦを生成し、更にＳ３０３にて、印刷データの印刷設定情報に送信先のプリンタ３０で印刷する際の給紙トレイ（本実施形態では供給トレイ４１又は手差しトレイ７０）の給紙トレイ情報に基づき、当該トレイに対する情報を強調する。
【００６９】
尚、ここで生成した付加データＦは、図６に示す。図６は、印刷データに付加データＦを付加し、印刷した際の一例を示すイメージ図であり、付加データＦは、印刷データである「Ａ」というデータの下部に付加されているデータである。
【００７０】
この付加データＦは、Ｓ３０１で取得した給紙トレイ情報に基づくデータであり、各プリンタ３０の給紙トレイである供給トレイ４１及び手差しトレイ７０毎に、各トレイから給紙され印刷される面に基づき、印刷されたシートＷを再度印刷する際に、どちらの面を
上向き又は下向きにして各給紙トレイに載置すれば良いかを示す情報である。
【００７１】
図６の例の場合は、再度印刷する際に、供給トレイ４１から給紙する場合は載置した下面に印刷されるので、今回印刷される面を上面にして載置するように指示する情報とし、手差しトレイ７０から給紙する場合は載置した上面に印刷されるので、今回印刷される面を下面にして載置するように指示する情報とする。
【００７２】
尚、「プリンタＡ」と記されているものが送信先のプリンタ３０を示し、周囲のプリンタ３０は、「プリンタＢ」と記されている。この実施形態では「プリンタＡ」と示した送信先のプリンタ３０と、「プリンタＢ」と示した周囲のプリンタ３０は、共通の構成をしているため付加データＦの情報が酷似しているが、プリンタの種類に応じて様々な給紙及び印刷があるため、付加データＦの情報がプリンタによって相違するもある。
【００７３】
さらに、この付加データＦでは、送信先のプリンタ３０で印刷する際の給紙トレイである、供給トレイ４１の情報に対して、更に「（直上のトレイは印刷時の給紙トレイ設定です）」と強調した情報を付加する。
【００７４】
付加データ生成処理にて、Ｓ３０３の処理が終了し、当該付加データ生成処理が終了すると、Ｓ１０４にて、印刷データが複数ページのページデータで構成されている印刷データであるか否かを判断する。
【００７５】
この際、印刷データが複数ページのページデータで構成されていると判断すると（Ｓ１０４：ＹＥＳ）、Ｓ１０５にて、１ページ目のページデータに付加データＦを付加する。一方、印刷データが１ページのページデータで構成されていると判断すると（Ｓ１０４：ＮＯ）、Ｓ１０６にて、印刷データ（１ページのページデータ）に付加データＦを付加する。
【００７６】
Ｓ１０５及びＳ１０６の処理が終了すると、Ｓ１０７にて、端末装置１０からネットワークインターフェイス１７を介して、送信先のプリンタ３０へ付加データＦを付加した印刷データを送信する。
【００７７】
尚、Ｓ１０２にて、Ｓ１０１の付加判定処理により、付加データＦを付加しないと判定したと判断すると（Ｓ１０２：ＮＯ）、Ｓ１０７にて、端末装置１０からネットワークインターフェイス１７を介して、送信先のプリンタ３０へ付加データＦを付加しない印刷データを送信する。
【００７８】
４．本実施形態の効果
本実施形態によれば、プリンタ３０にて印刷データを送信する（印刷する）際に付加データＦを付加するので、ユーザは、プリンタ３０にて印刷されたシートＷの印刷面とは別面に再度印刷をする際に、プリンタ３０の給紙トレイに応じて適切な載置が可能である。
【００７９】
また、印刷設定や印刷データの解析（印刷条件）に基づき付加データＦを付加するか否かを判定することで、特定の印刷条件で印刷される印刷データに対して付加データＦを付加することが可能となる。
【００８０】
また、印刷されたシートＷを給紙トレイが複数備えられているプリンタ３０にて再度印刷をする際に、ユーザが再度印刷する際に使用する給紙トレイを指定したい可能性がある。従って、それぞれの給紙トレイに対して載置されるシートＷの印刷面と関連付けた付加データＦを付加することで、印刷されたシートＷの利便性が増す。
【００８１】
また、印刷されたシートＷをプリンタ３０にて再度印刷する際に、印刷されたプリンタ３０とは異なるプリンタ３０でシートＷを使用する可能性がある。従って、異なる印刷装置に対する付加データＦを付加することで、印刷されたシートの利便性が増す。
【００８２】
また、印刷データが印刷される際に用いられる給紙トレイは、今後も用いられる可能性の高い給紙トレイである。従って、当該給紙トレイに載置されるシートＷの印刷面を関連付けた付加データＦを付加することで、ユーザの利用可能性に則した付加データＦを付加可能となる。
【００８３】
また、複数ページのページデータで構成されている印刷データによって印刷されるシートＷの束の場合、そのシートＷの束のまとまりでシートＷが扱われる可能性が高い。従って、複数ページの内の少なくとも一ページのページデータに付加データＦを付加することで、付加データＦを印刷するトナーの使用を抑制可能となる。
【００８４】
また、例えば、モノクロ印刷、試し印刷、低画質印刷、低解像度印刷、Ｎｉｎ１印刷等、低品質の設定がなされている印刷データが印刷されるシートＷは、プリンタ３０にて再度印刷される可能性が高い。従って、この様な場合は、付加データＦを付加すると判定することで適切に印刷データを扱うことが可能となる。
【００８５】
また、例えば、Ｗｅｂのデータを印刷する際に、余白面積が広く、シートＷに殆ど印刷がされなかった場合等、印刷面積が所定面積より狭いシートは、プリンタ３０にて再度印刷される可能性が高い。従って、この様な場合は、付加データＦを付加すると判定することで適切に印刷データを扱うことが可能となる。
【００８６】
また、例えば、印刷データの中に機密度の高いキーワードが入っている場合等、画像データを機密データであると判断する。この様な印刷データを印刷したシートＷは、プリンタ３０にて再度印刷される可能性が低い。従って、この様な場合は、付加データＦを付加しないと判定することで適切に印刷データを扱うことが可能となる。
【００８７】
また、例えば、両面印刷の設定がなされシートＷの両面に印刷がなされたてシートＷは、プリンタ３０にて再度印刷される可能性が低い。従って、この様な場合は、付加データＦを付加しないと判定することで適切に印刷データを扱うことが可能となる。
【００８８】
また、シートＷを給紙トレイに載置する際に上面及び下面にする面の少なくとも一方を示すデータとして付加データＦを付加することで、シートＷをプリンタにて再度印刷する場合に、利便性の高いデータを印刷することが可能となる。
【００８９】
＜他の実施形態＞
本発明は上記記述及び図面によって説明した実施形態に限定されるものではなく、例えば次のような種々の態様も本発明の技術的範囲に含まれる。
【００９０】
（１）上記実施形態では、プリンタ３０を例に挙げたが、本発明の「印刷装置」はこれに限れない。例えばスキャナ機能やファクシミリ機能を有する複合機や、ファクシミリ装置単体であってもよい。要するに、画像データに対する印刷を実行可能な印刷装置であればよい。
【００９１】
（２）上記実施形態では、印刷の方式として周知の電子写真方式を用いたプリンタ３０を例に挙げたが、本発明はこれに限られない。例えば、インクジェット方式でシートＷに印刷データを印刷するインクジェットプリンタでもよい。
【００９２】
（３）上記実施形態では、本発明の判断部、付加部を端末装置１０のＣＰＵ１１が担っていたが、本発明はこれに限られない。例えば、プリンタ３０のＣＰＵ３１が上記構成部を担ってもよい。即ち、プリンタ３０が端末装置１０からの印刷データ、ＵＳＢメモリからのダイレクトプリントデータ、スキャナ装置からの読取データ等の各種の印刷データを受け取り、受け取った印刷データに対して、上述した送信処理と同様の処理をＣＰＵ３１がプリンタ３０の中で実行してもよい。尚、この場合、図３のＳ１０７の処理は、「印刷データを印刷」となる。
【００９３】
（４）上記実施形態では、付加データＦを印刷する際にシートＷの下部に印刷していたが、本発明はこれに限られない。例えば、シートの上部に印刷しても良いし、ウォーターマークや透かし印刷の技術を使って印刷データに重ねて印刷しても良い。
【００９４】
（５）上記実施形態では、複数のプリンタ３０の複数の給紙トレイに対する付加情報を付加していたが、本発明はこれに限られない。例えば、本実施形態における送信先のプリンタ３０に対する情報のみを付加してもよいし、送信先のプリンタで使用される給紙トレイの情報のみを付加してもよい。この様に構成することで、付加情報の大きさを抑制することが可能であり、印刷データの画像への影響を抑えることができる。
【００９５】
（６）上記実施形態では、付加データＦを印刷する際に印刷データの下部に付加データＦを付加しているが、本発明はこれに限られない。例えば、付加データＦの印刷面積の広さに応じて付加データＦを縮小してもよい。
【００９６】
（７）上記実施形態では、付加判定処理において複数の条件を用いて判定を行っているが、本発明はこれに限られない。例えば、付加判定処理において、Ｓ２０２，Ｓ２０４，Ｓ２０５，Ｓ２０７〜Ｓ２０９のいずれかの条件のみで判定をしてもよいし、複数の条件が重なったときに、Ｓ２０３及びＳ２０６の処理を実行してもよい（例えばＳ２０２及びＳ２０４が共にＹＥＳと判断した時にＳ２０３の処理、Ｓ２０５及びＳ２０８の処理が重なったときにＳ２０６の処理等）。
【００９７】
（８）上記実施形態では、付加判定処理においてＳ２０４にて機密キーワードの有無を判断しているが、本発明はこれに限られない。例えば、機密の画像等、周知の画像認識技術を用いて、機密画像の有無を判断してもよい。
【００９８】
（９）上記実施形態では、付加データＦとしてプリンタ３０の給紙トレイである供給トレイ４１及び手差しトレイ７０毎に、各トレイから給紙され印刷される面に基づき、印刷されたシートＷを再度印刷する際に、どちらの面を上向き又は下向きにして各給紙トレイに載置すれば良いかを示す情報を付加しているが、本発明はこれに限られない。例えば、付加情報として機種名やシリアル番号等の情報を載せることでユーザにどの様なプリンタであるかを認識させることで、シートＷの載置の際のサポート情報としてもよいし、付加情報として単純に再度印刷可能な裏紙の使用可又は不可を示す情報でもよい。
【００９９】
（１０）上記実施形態では、付加データＦの印刷に対する色は特に指定していないが、本発明では、例えば、印刷データと同色にて付加データＦを印刷することで目立たなくさせる構成や、逆に印刷データとは異なる色にて付加データＦを印刷することで目立たせる構成等でもよい。
【０１００】
（１１）尚、上記実施形態の処理を端末１０にて実行するためのプログラム提供する方法として、端末１０にて読込可能な記憶媒体に当該プログラムを記憶させて提供してもよい。
【符号の説明】
【０１０１】
１０    端末装置
１１    ＣＰＵ
１２    ＲＯＭ
１７    ネットワークインターフェイス
２０    通信回線
３０    プリンタ
３１    ＣＰＵ
３２    ＲＯＭ
３７    印刷部
３８    搬送機構
４１    供給トレイ
４９    反転機構
７０    手差しトレイ
Ｗ    シート
Ｆ    付加データ
【図１】
2011232875.tif 000003
【図２】
2011232875.tif 000004
【図３】
2011232875.tif 000005
【図４】
2011232875.tif 000006
【図５】
2011232875.tif 000007
【図６】
2011232875.tif 000008